(57)【要約】【課題】「店側投出」と「客側投出」との切換利用が可能である景品払出機であって、それらの切換作業を極めて容易かつ短時間で行えるような景品払出機を提供すること。【解決手段】景品用開口部（８）と同じ側に設けられた一方側表示部（１０）と、景品用開口部（８）とは反対側に設けられた他方側表示部（１３）と、一方側表示部及び他方側表示部を制御する表示制御部（６）と、を備えている。一方側表示部及び他方側表示部は、互換可能な同一ないし類似の表示装置によって構成されている。表示制御部は、表示設定の切換入力によって、一方側表示部に対する表示制御と他方側表示部に対する表示制御とを切換可能である。【選択図】図２
2008206587.tif 000002
【特許請求の範囲】
【請求項１】
複数個の景品を収納する景品カセットが装着されるカセット装着部と、
カセット装着部に対する景品カセットの装着作業のために開放される開閉自在のカセット用開口部と、
カセット装着部に装着された製品カセットから景品を繰り出す景品払出ユニットと、
景品払出ユニットを制御する払出制御部と、
景品払出ユニットから繰出された景品を機外から取り出し可能とする景品取出部と、
景品取出部と同じ側に設けられた一方側表示部と、
景品取出部とは反対側に設けられた他方側表示部と、
一方側表示部及び他方側表示部を制御する表示制御部と、
を備えており、
一方側表示部及び他方側表示部は、それぞれ、同等ないし類似の表示装置によって構成されており、
表示制御部は、表示設定の切換入力によって一方側表示部に対する表示制御と他方側表示部に対する表示制御とを互いに切換可能に構成されている
ことを特徴とする景品払出機。
【請求項２】
一方側表示部及び他方側表示部を構成する各表示装置は、表示制御部に対する表示設定の切換入力を行う操作部としても機能できる装置で構成され、
表示制御部は、表示設定の状態に応じて、一方側表示部及び他方側表示部のいずれか一方のみから表示設定の切換入力を受け付けるようになっている
ことを特徴とする請求項１に記載の景品払出機。
【請求項３】
一方側表示部及び他方側表示部を構成する各表示装置は、払出制御部に対する各種設定入力を行う操作部としても機能できる装置で構成され、
払出制御部は、表示設定の状態に応じて、一方側表示部及び他方側表示部のいずれか一方のみから設定入力を受け付けるようになっている
ことを特徴とする請求項１または２に記載の景品払出機。
【請求項４】
一方側表示部及び他方側表示部は、それぞれ、タッチパネルによって構成されている
ことを特徴とする請求項２または３に記載の景品払出機。
【請求項５】
一方側表示部及び他方側表示部とは別に、表示制御部に対する表示設定の切換入力を行う操作部が設けられている
ことを特徴とする請求項１に記載の景品払出機。
【請求項６】
操作部は、景品取出部と同じ側の当該景品払出機の壁面に対して、及び、景品取出部とは反対側の当該景品払出機の壁面に対して、着脱可能に構成されている
ことを特徴とする請求項５に記載の景品払出機。
【請求項７】
カセット用開口部には、開閉自在の開閉扉が設けられており、
当該開閉扉は、景品取出部と同じ側及び景品取出部とは反対側のいずれの側からも操作可能に構成されている
ことを特徴とする請求項１乃至６のいずれかに記載の景品払出機。
【請求項８】
表示制御部から一方側表示部に至る一方側リード線と、
表示制御部から他方側表示部に至る他方側リード線と、
を更に備えており、
一方側リード線及び他方側リード線も、それぞれ、同等ないし類似のリード線によって構成されている
ことを特徴とする請求項１乃至７のいずれかに記載の景品払出機。
【発明の詳細な説明】
【技術分野】
【０００１】
本発明は、パチンコ店等の遊技店に備えられ、パチンコ玉またはメダルの個数やゲームの得点等の遊技の結果に応じて遊技者に引き渡される景品を払い出して遊技者に引き渡すための、景品払出機に関する。
【背景技術】
【０００２】
パチンコ店等の遊技店に備えられる景品払出機として使用可能な従来の機器が、特開２００５−２１１６８６号公報（特許文献１）に開示されている。
【０００３】
特開２００５−２１１６８６号公報に開示された景品払出し機を図２０に示す。図２０に示されるように、この景品払出機２０１は、一つのレーン（景品払出口２０２ｃ）に対して、複数のカセット２０８をレーンの奥行き方向に並べて収容する構成を採用しているので、景品払出機２０１の外形（横幅）をより自由に設計することができる。なお、２０６は表示部であり、２０２ａは開閉蓋である。
【０００４】
図２０に示された景品払出機２０１は、いずれも、景品が払い出される開口部の側に、表示部２０６が設けられている。これらは、「客側投出」と呼ばれる態様に対応するものである。「客側投出」とは、遊技客自身が表示部２０６を利用しながら景品払出機２０１の動作を確認して景品を払い出し、遊技客自身が景品を取り出す態様である。すなわち、景品が払い出される開口部が、客側に向けて配置される態様である。
【０００５】
この「客側投出」が採用される場合でも、景品払出機２０１のメンテナンス操作や景品補充操作等のための表示部が、景品が払い出される開口部の裏側（店員側）に設けられていることが好ましい。
【０００６】
一方で、「店側投出」と呼ばれる態様がある。「店側投出」とは、店員が表示部２０６を利用しながら景品払出機２０１を操作して景品を払い出し、その後、当該景品を店員が遊技客に手渡しする態様である。すなわち、景品が払い出される開口部が、店員側に向けて配置される態様である。この「店側投出」が採用される場合、遊技客が景品払出機２０１の動作を確認するための表示部が、景品が払い出される開口部の裏側（この場合、客側となる）に設けられていることが好ましい。
【０００７】
要するに、「店側投出」及び「客側投出」のいずれの態様が採用される場合でも、景品が払い出される開口部の側の表示部に加えて、景品が払い出される開口部とは反対の側にも表示部が設けられることが好ましいのである。
【０００８】
本件出願人は、そのような見解に基づいて、景品が払い出される開口部の側の表示部に加えて景品が払い出される開口部とは反対の側にも表示部が設けられたタイプの景品払出機を、すでに創作し、特願２００６−２５７３８５を出願している。
【特許文献１】特開２００５−２１１６８６号公報
【発明の開示】
【発明が解決しようとする課題】
【０００９】
景品払出機において、「店側投出」及び「客側投出」のいずれの態様が採用されるのかは、遊技店の方針によって異なるし、また、地域毎にも異なる（関連する条例が制定されている地域もある）。従って、一つの景品払出機において、「店側投出」の態様と「客側投出」の態様との間で切換利用が可能であることが好ましい。
【００１０】
そのような見解に基づいて、本件出願人が販売している前記タイプの景品払出機は、景品が払い出される開口部の側に設けられている表示部と、景品が払い出される開口部とは反対の側に設けられている表示部とが、取り替え可能に構成されている。
【００１１】
しかしながら、景品が払い出される開口部の側に設けられている表示部と、景品が払い出される開口部とは反対の側に設けられている表示部とは、互いの表示機能が異なることに起因して、表示部の交換に伴って、各表示部に接続されるリード線（当業者はハーネスと呼んでいる）についても交換することが必要であった。また、態様変更の際には、カセット用開口部の扉体も取り替える必要があった。
【００１２】
表示部自体の交換（取り替え）については、比較的短時間で簡単に作業が行える。しかしながら、景品払出機の制御を担う制御部から各表示部に至るリード線の交換については、当該リード線が景品払出機の内部の隙間を引き回されるものであるために、作業に手間と時間がかかっている（約２０分間）。
【００１３】
本発明は、以上のような事情に鑑みてなされたもので、「店側投出」の態様と「客側投出」の態様との切換利用が可能である景品払出機であって、それらの態様の切換作業を極めて容易かつ短時間で行えるような景品払出機を提供することを目的とする。
【課題を解決するための手段】
【００１４】
本発明は、複数個の景品を収納する景品カセットが装着されるカセット装着部と、カセット装着部に対する景品カセットの装着作業のために開放される開閉自在のカセット用開口部と、カセット装着部に装着された製品カセットから景品を繰り出す景品払出ユニットと、景品払出ユニットを制御する払出制御部と、景品払出ユニットから繰出された景品を機外から取り出し可能とする景品取出部と、景品取出部と同じ側に設けられた一方側表示部と、景品取出部とは反対側に設けられた他方側表示部と、一方側表示部及び他方側表示部を制御する表示制御部と、を備えており、一方側表示部及び他方側表示部は、それぞれ、同等ないし類似の表示装置によって構成されており、表示制御部は、表示設定の切換入力によって一方側表示部に対する表示制御と他方側表示部に対する表示制御とを互いに切換可能に構成されていることを特徴とする景品払出機である。
【００１５】
本発明によれば、一方側表示部と他方側表示部とが同等ないし類似の表示装置によって構成されることにより、表示部の配置換えを行うことなく、表示制御部への表示設定の切換入力によって、極めて簡単かつ短時間で、一方側表示部に対する表示制御と他方側表示部に対する表示制御とを互いに切換えることができる。（表示制御の切換作業の後、景品取出部の配置向きを店員側ないし客側に反転させれば、景品払出機の利用態様の切換作業が完了する。）
【００１６】
好ましくは、一方側表示部及び他方側表示部を構成する各表示装置は、表示制御部に対する表示設定の切換入力を行う操作部としても機能できる装置で構成され、この場合、更に好ましくは、表示制御部は、表示設定の状態に応じて、一方側表示部及び他方側表示部のいずれか一方のみから表示設定の切換入力を受け付けるようになっている。
【００１７】
この場合、例えば店員側に配置される表示部兼操作部からのみ表示制御部に対する表示設定の切換入力を許容するということが可能となる。
【００１８】
また、好ましくは、一方側表示部及び他方側表示部を構成する各表示装置は、払出制御部に対する各種設定入力を行う操作部としても機能できる装置で構成され、この場合、更に好ましくは、払出制御部は、表示設定の状態に応じて、一方側表示部及び他方側表示部のいずれか一方のみから設定入力を受け付けるようになっている。
【００１９】
この場合、例えば店員側に配置される表示部兼操作部からのみ払出制御部に対する各種設定入力を許容するということが可能となる。
【００２０】
表示部兼操作部として機能する表示装置としては、例えば、安価で操作性のよいタッチパネル等が例示される。
【００２１】
もっとも、一方側表示部及び他方側表示部とは別に、表示制御部に対する表示設定の切換入力を行う操作部が設けられてもよい。
【００２２】
この場合、そのような操作部は、景品取出部と同じ側の当該景品払出機の壁面に対して、及び、景品取出部とは反対側の当該景品払出機の壁面に対して、着脱可能であることが好ましい。あるいは、そのような操作部は、景品取出部と同じ側にも引き出すことができ、且つ、景品取出部とは反対側にも引き出すことができるように、長いリード線で景品払出機に接続されていてもよい。あるいは、そのような操作部は、景品取出部と同じ側でも操作することができ、且つ、景品取出部とは反対側でも操作することができるように、無線通信式に景品払出機に作用するものであってもよい。
【００２３】
また、通常、カセット用開口部には、開閉自在の開閉扉が設けられるが、当該開閉扉は、景品取出部と同じ側及び景品取出部とは反対側のいずれの側からも操作可能に構成されていることが好ましい。
【００２４】
この場合、景品取出部が客側と店員側とのいずれに向けて配置されていても、開閉扉の操作を店員側から行うことができる。従来は、景品取出部の配置方向に合わせて、開閉扉の蝶番を取り替えるという作業が必要であったが、そのような作業が不要となる。
【００２５】
景品取出部と同じ側及び景品取出部とは反対側のいずれの側からも操作可能な開閉扉の構成としては、両観音扉タイプの構成や、工具箱タイプの構成や、両開き型冷蔵庫扉と同様の構成や、扉がスライド移動して左右の側部に収容されるシャッタタイプの構成や、景品払出機から分離する（取り外される）構成等、公知の種々の構成が採用され得る。
【００２６】
また、好ましくは、表示制御部から一方側表示部に至る一方側リード線と、表示制御部から他方側表示部に至る他方側リード線と、を更に備え、一方側リード線及び他方側リード線も、それぞれ、同等ないし類似のリード線によって構成される。
【００２７】
この場合、一方側表示部と他方側表示部とが同等ないし類似の表示装置によって構成される他、一方側リード線及び他方側リード線も同等ないし類似のリード線によって構成されることにより、表示部ないしリード線の配置換えを行うことなく、表示制御部への表示設定の切換入力によって、極めて簡単かつ短時間で、一方側表示部に対する表示制御と他方側表示部に対する表示制御とを互いに切換えることができる。（表示制御の切換作業の後、景品取出部の配置向きを店員側ないし客側に反転させれば、景品払出機の利用態様の切換作業が完了する。）
なお、景品取出部には、通常、開閉可能なシャッタが設けられる。
【発明を実施するための最良の形態】
【００２８】
まず、図１乃至図５を用いて、本発明の一実施の形態の景品払出機について説明する。
【００２９】
図１は、本実施の形態に係る景品払出機２０の斜視図であり、図２は、景品払出機２０の概略断面図である。図３は、開閉扉を開放した状態での景品払出機２０の部分透視斜視図である。
【００３０】
図１乃至図３に示すように、本実施の形態の景品払出機２０は、全体に略直方体形状のボックス型の筐体１を有しており、筐体１の内部に、複数個の景品を収納する景品カセットＣが装着されるカセット装着部２が設けられている（詳細な構成については、特願２００６−２５７３８５参照）。筐体１の上部には、カセット装着部２に対するカセットＣの装着作業のために、カセット用開口部３が設けられており、当該カセット用開口部３には、開閉自在の開閉扉４が設けられている。
【００３１】
本実施の形態では、開閉扉４は、開放時において、筐体１から分離される（取り外される）ようになっている。また、本実施の形態では、景品カセット装着部２には、７レーンが用意され、各レーン毎に２つのカセットＣが装着されるようになっており、最大で１４個のカセットＣが装着されるようになっている。
【００３２】
カセット装着部２の下方には、カセット装着部２に装着された各景品カセットＣから景品を繰り出す景品払出ユニット５が設けられている。景品払出ユニット５は、払出制御部として機能する制御ボード６によって制御されるようになっている。景品払出ユニット５及び制御ボード６は、電源ユニット１８に接続されている。
【００３３】
筐体１の一方側（正面側）の下方位置に、景品払出ユニット５から繰り出される景品Ｐを一時的に保留する一時保留部７が設けられている。そして、一時保留部７からの景品取出のために開放される開閉自在の景品用開口部８が、筐体１の一方側（正面側）に開口している。景品用開口部８には、上下方向にスライドして開閉可能なシャッタ９が設けられている。図４は、シャッタ開放時の景品払出機２０の斜視図である。尚、一時貯留部７と景品用開口部８とが、特許請求の範囲における「景品取出部」に対応する。
【００３４】
シャッタ９の上方に、一方側表示部として、一方側タッチパネル１０が設けられている。一方側タッチパネル１０は、一方側リード線１１を介して、表示制御部としても機能する制御ボート６に接続されている。一方側リード線１１は、装着され得るカセットＣと干渉することがないように、筐体１の周辺部に沿うように、及び／または、景品払出機２０の各構成要素間の隙間を縫うように、配設されている。
【００３５】
なお、本実施の形態では、図５に示すように、一方側タッチパネル１０を含む筐体１の一方側（正面側）の壁面が、メンテナンス作業時に開放され得るようになっている。図５は、メンテナンス作業時の景品払出機２０の斜視図である。
【００３６】
また、筐体１の他方側（裏面側）において、一方側タッチパネル１０と略同程度の高さ位置に、他方側タッチパネル１３が設けられている（図２参照）。他方側タッチパネル１３は、他方側リード線１４を介して、表示制御部としても機能する制御ボート６に接続されている。他方側リード線１４も、装着され得るカセットＣと干渉することがないように、筐体１の周辺部に沿うように、及び／または、景品払出機２０の各構成要素間の隙間を縫うように、配設されている。
【００３７】
ここで、本発明の特徴として、一方側タッチパネル１０及び他方側タッチパネル１３は、それぞれ、互いに互換可能な同一ないし類似のタッチパネルによって構成されている。また、一方側リード線１１及び他方側リード線１４も、それぞれ、互いに互換可能な同一ないし類似のリード線によって構成されている。そして、制御ボード６は、表示設定の切換入力によって、一方側タッチパネル１０に対する表示制御と他方側タッチパネル１３に対する表示制御とを互いに切換可能に構成されている。
【００３８】
本実施の形態では、一方側タッチパネル１０及び他方側タッチパネル１３は、いずれも、制御ボード６（表示制御部）に対する表示設定の切換入力を行う操作部としての機能も有することができる。もっとも、制御ボード６は、表示設定の状態に応じて、一方側タッチパネル１０及び他方側タッチパネル１３のいずれか一方のみから表示設定の切換入力を受け付けるようになっている。
【００３９】
更に、本実施の形態では、一方側タッチパネル１０及び他方側タッチパネル１３は、制御ボード６（払出制御部）に対する各種設定入力を行う操作部としての機能も有することができる。もっとも、制御ボード６は、表示設定の状態に応じて、一方側タッチパネル１０及び他方側タッチパネル１３のいずれか一方のみから各種設定入力を受け付けるようになっている。
【００４０】
本実施の形態の景品払出機２０の構成をブロック図で表すと、図６のようになる。
【００４１】
次に、本実施の形態の景品払出機２０の作用について、まず「客側投出」の態様で利用する場合について説明する。
【００４２】
この場合、景品払出機２０は、景品用開口部８及び一方側タッチパネル１０が客側を向くように設置される。このような設置により、他方側タッチパネル１３が店員側を向く。
【００４３】
制御ボード６は、後述するように、一方側タッチパネル１０に対しては、客用メッセージを表示するための表示制御と、今回の景品払出枚数に関する情報を表示するための表示制御と、を行うようになっている。そして、一方側タッチパネル１０は、操作部としては機能しないようになっている。
【００４４】
一方、制御ボード６は、後述するように、他方側タッチパネル１３に対しては、店員用メッセージを表示するための表示制御と、今回の景品払出枚数に関する情報を表示するための表示制御と、各カセットの景品在庫の情報を表示するための表示制御と、を行うようになっている。また、他方側タッチパネル１３は、操作部として、表示設定の切換入力と、景品払い出しに関する各種設定入力と、を行えるようになっている。払い出しに関する各種設定入力とは、具体的には、例えば、景品が対応する金額の設定、各レーンにおける景品種類の設定、音声案内に関する設定である。その他、他方側タッチパネル１３は、操作部として、営業開始前等に景品を景品払出機に補充（入庫）するための入庫操作と、営業終了時等に景品払出機内の景品を回収するための回収操作と、を行うこともできるようになっている。
【００４５】
また、景品払出機２０は、不図示の景品管理機に接続される。景品管理機は、例えばバーコードレシート読取器を有しており、遊技客が獲得したパチンコ玉やメダル等を計数機に投入して得たバーコードレシートの情報を読み取って、遊技店で用意している特殊景品の種類別の払出枚数を計算し、その払出枚数の情報を景品払出機２０の制御ボード６に送るようになっている。
【００４６】
図７及び図８を参照しながら、景品払出機２０の動作と一方側タッチパネル１０及び他方側タッチパネル１３の表示内容について説明する。尚、ここでは始めに「客側投出」に設定されているものとする。
【００４７】
図７（ａ）は、一方側タッチパネル１０の初期画面である。客用メッセージが表示されている。
【００４８】
制御ボード６が、景品払出枚数の情報を景品管理機から受信すると、制御ボード６が払出ユニット５を制御して、所定種類の景品を所定数ずつ一時保留部７に払い出す。この時、一方側タッチパネル１０には、図７（ｂ）のような画面が表示される。すなわち、今回の景品払出枚数に関する情報が、「景品が出ます」という客用メッセージと共に表示される。
【００４９】
一時保留部７への払い出し動作が終了すると、シャッタ９が開けられる。この時、一方側タッチパネル１０には、図７（ｃ）のような画面が表示される。すなわち、客用メッセージが「お取りください」に変わる。
【００５０】
一時保留部７から景品が取り出されると（景品の取り出しについては、公知の種々のセンサが利用され得るが、ここでは詳細な説明を省略する）、シャッタ９が閉じられる。この時、一方側タッチパネル１０には、図７（ｄ）のような画面が表示される。すなわち、客用メッセージが「ありがとうございました」に変わる。
【００５１】
そして、所定時間の経過後、例えば５秒間の経過後、一方側タッチパネル１０は、図７（ａ）の画面表示状態に復帰する。
【００５２】
一方、他方側タッチパネル１３の初期画面は、図８（ａ）に示されているように、店員用メッセージ（「待機中」）の他に、各カセットの景品在庫の情報の表示も含んでいる。具体的には、第１レーンから第７レーンについて、それぞれ前後２個（Ａ側＝景品払出方向、Ｂ側＝反対側）の景品カセット内に景品が有るか無いかを検出し、対応するマーク（「景品無し」＝黒四角）、「景品有り」＝白四角）を表示する。図８（ａ）の表示状態では、第６レーンの（Ｂ）に装着されたカセットＣが「景品無し」であり、他のカセットは「景品有り」である。また、表示設定の切換入力及び景品払い出しに関する各種設定入力のための設定キーと、入庫操作のための入庫キーと、回収操作のための回収キーとが、画面の上部に表示されている。
【００５３】
制御ボード６が払出ユニット５を制御して、所定種類の景品を所定数ずつ一時保留部７に払い出す時（一方側タッチパネル１０に図７（ｂ）のような画面が表示される時）、他方側タッチパネル１３には図８（ｂ）のような画面が表示される。すなわち、キー表示が消えて店員用メッセージが「払出中  景品がでます」に変わる。
【００５４】
一時保留部７への払い出し動作が終了して、シャッタ９が開けられる時（一方側タッチパネル１０に図７（ｃ）のような画面が表示される時）、他方側タッチパネル１３には図８（ｃ）のような画面が表示される。すなわち、店員用メッセージが「払出中  景品取り出し中」に変わる。
【００５５】
一時保留部７から景品が取り出され、シャッタ９が閉じられる時（一方側タッチパネル１０に図７（ｄ）のような画面が表示される時）、他方側タッチパネル１３には図８（ｄ）のような画面が表示される。すなわち、店員用メッセージが「待機中」に変わる。
【００５６】
そして、所定時間の経過後、例えば５秒間の経過後、他方側タッチパネル１３は、図８（ａ）の画面表示状態に復帰する。
【００５７】
次に、図９及び図１０を参照しながら、「客側投出」の態様で利用された景品払出機２０を「店側投出」の態様に切り換える作業について説明する。
【００５８】
図９（ａ）（＝図８（ａ））に示される他方側タッチパネル１３の（店員用）初期画面において、「設定」キーを押す（タッチする）。これにより、図９（ｂ）に示される設定画面が他方側タッチパネル１３に表示される。ここで、「払出方向設定」キーを押すと、図９（ｃ）に示される払出方向設定画面が他方側タッチパネル１３に表示される。そして、「店側」キーを押すと、払出方向が店側に切り換えられ、すなわち、景品用開口部８が設けられている側すなわち一方側タッチパネル１０の側が店側（店員側）に切り換えられ、他方側タッチパネル１３の側が客側に切り換えられることになる。そして、この払出方向の変更に対応して、一方側タッチパネル１０の表示制御及び他方側タッチパネル１３の表示制御が、互いに交換される。
【００５９】
本実施の形態では、一方側タッチパネル１０及び他方側タッチパネル１３が互換可能（同等機能を有する）であり、また、それらのリード線１１及び１４も互換可能（同等機能を有する）であるために、このような表示制御の交換が、要素部材の交換作業を必要としないで、簡単かつ短時間で行われる。
【００６０】
切り換えられた表示制御による他方側タッチパネル１３の画面状態は、図９（ｄ）（＝図７（ａ））に示されている客用初期画面となる。この状態では、他方側タッチパネル１３は、操作部として機能しない。
【００６１】
一方、他方側タッチパネル１３の初期画面において「設定」キーが押された際、一方側タッチパネル１０の表示画面は、図１０（ａ）に示される客用初期画面（＝図７（ａ））から図１０（ｂ）に示される画面に変わる。
【００６２】
その後、払出方向の変更に対応して一方側タッチパネル１０の表示制御及び他方側タッチパネル１３の表示制御が交換されると、一方側タッチパネル１０の画面状態は、図１０（ｃ）（＝図８（ａ））に示されている店員用初期画面となる。この状態では、一方側タッチパネル１０が、操作部として、表示設定の切換入力と、景品払い出しに関する各種設定入力と、入庫操作と、回収操作と、を行えるようになっている。
【００６３】
以上のように、一方側タッチパネル１０の表示制御及び他方側タッチパネル１３の表示制御が交換された（切り換えられた）後で、図１１に示されるように、景品払出機２０の筐体１の向きを、店側／客側で１８０度回転させる。これにより、「客側投出」の態様で利用された景品払出機２０を「店側投出」の態様で利用することが可能となる。
【００６４】
逆に、「店側投出」の態様で利用された景品払出機２０を「客側投出」の態様で利用する場合には、一方側タッチパネル１０を用いて、前記と略同様の操作方法に従って、払出方向を客側に切り換えればよい。
【００６５】
以上のように、本実施の形態によれば、一方側タッチパネル１０と他方側タッチパネル１３とが互いに互換可能な同一ないし類似の表示装置によって構成される他、一方側リード線１１及び他方側リード線１４も互いに互換可能な同一ないし類似のリード線によって構成されているため、表示装置ないしリード線の配置換えを行うことなく、表示設定の切換入力という作業のみによって、極めて簡単かつ短時間で、一方側タッチパネル１０に対する表示制御と他方側タッチパネル１３に対する表示制御とを互いに切換えることができる。そして、その後に景品用開口部８の配置向きを店側ないし客側で反転させるだけで、「店側投出」の態様と「客側投出」の態様との切換作業を極めて容易かつ短時間で行うことが可能となる。
【００６６】
なお、本実施の形態では、客側に向けられるタッチパネルは操作部として機能しないようになっているため、遊技客による各種の誤操作を防止することができる。
【００６７】
もっとも、操作部を表示部と一体にしない構成も採用され得る。例えば、図１２に示されるように、シャッタ９と同じ側の筐体１の壁面に対して、及び、シャッタ９とは反対側の筐体１の壁面に対して、着脱可能である操作部３０が採用され得る。
【００６８】
あるいは、図１３に示されるように、シャッタ９と同じ側にも引き出すことができ、且つ、シャッタ９とは反対側にも引き出すことができるように、長いリード線４１で筐体１に接続された操作部４０が採用されてもよい。
【００６９】
あるいは、図１４に示されるように、シャッタ９と同じ側でも操作することができ、且つ、シャッタ９とは反対側でも操作することができるように、無線式に景品払出機２０と通信する操作部５０が採用されてもよい。
【００７０】
また、前記実施の形態では、開閉扉４が筐体１から分離される（取り外される）ようになっているが、これに限定されない。景品用開口部８（シャッタ９）と同じ側及び景品用開口部８（シャッタ９）とは反対側のいずれの側からも操作可能な開閉扉が好ましいが、図１５に示されるような両観音扉タイプの構成や、図１６に示されるような両観音扉が開放時に左右の側部に収納されるタイプの構成や、図１７に示されるような工具箱タイプの構成や、図１８に示されるような両開き型冷蔵庫扉と同様の構成や、図１９に示されるような扉がスライド移動して左右の側部に収容されるシャッタタイプの構成等、公知の種々の構成が採用され得る。
【００７１】
また、前記実施の形態では、繰出された景品が一時保留部に集積された後、シャッタが開放されて、遊技者（あるいは店員）が取り出しているが、これに限定されない。繰出される景品が外部から取り出し可能な景品取出部に直接払い出されるタイプの景品払出機においても、本発明を適用することができる。
【図面の簡単な説明】
【００７２】
【図１】本発明の一実施の形態に係る景品払出機の斜視図である。
【図２】図１の景品払出機の概略断面図である。
【図３】開閉扉を開放した状態での図１の景品払出機の部分透視斜視図である。
【図４】シャッタ開放時の図１の景品払出機の斜視図である。
【図５】メンテナンス作業時の図１の景品払出機の斜視図である。
【図６】本発明の一実施の形態に係る景品払出機のブロック図である。
【図７】図１の景品払出機の動作と一方側タッチパネルの表示画面との関係を説明する図である。
【図８】図１の景品払出機の動作と他方側タッチパネルの表示画面との関係を説明する図である。
【図９】表示設定の切換動作と他方側タッチパネルの表示画面との関係を説明する図である。
【図１０】表示設定の切換動作と一方側タッチパネルの表示画面との関係を説明する図である。
【図１１】配置向きを換えた状態の図１の景品払出機の概略断面図である。
【図１２】操作部の他の形態を説明する図である。
【図１３】操作部の他の形態を説明する図である。
【図１４】操作部の他の形態を説明する図である。
【図１５】開閉扉の他の形態を説明する図である。
【図１６】開閉扉の他の形態を説明する図である。
【図１７】開閉扉の他の形態を説明する図である。
【図１８】開閉扉の他の形態を説明する図である。
【図１９】開閉扉の他の形態を説明する図である。
【図２０】従来の景品払出し機の斜視図である。
【符号の説明】
【００７３】
１  筐体
２  カセット装着部
３  カセット用開口部
４  開閉扉
５  払出ユニット
６  制御ボード（表示制御部、払出制御部）
７  一時保留部
８  景品用開口部
９  シャッタ
１０  一方側タッチパネル
１１  一方側リード線
１３  他方側タッチパネル
１４  他方側リード線
１８  電源ユニット
２０  景品払出機
３０、４０、５０  操作部
【図１】
2008206587.tif 000003
【図２】
2008206587.tif 000004
【図３】
2008206587.tif 000005
【図４】
2008206587.tif 000006
【図５】
2008206587.tif 000007
【図６】
2008206587.tif 000008
【図７】
2008206587.tif 000009
【図８】
2008206587.tif 000010
【図９】
2008206587.tif 000011
【図１０】
2008206587.tif 000012
【図１１】
2008206587.tif 000013
【図１２】
2008206587.tif 000014
【図１３】
2008206587.tif 000015
【図１４】
2008206587.tif 000016
【図１５】
2008206587.tif 000017
【図１６】
2008206587.tif 000018
【図１７】
2008206587.tif 000019
【図１８】
2008206587.tif 000020
【図１９】
2008206587.tif 000021
【図２０】
2008206587.tif 000022